(57)【要約】【課題】待ち合わせ対象者が移動した場合でも、スムーズに待ち合わせを行うことが可能な探索装置、探索装置の制御方法およびプログラムを提供する。【解決手段】本発明の探索装置を適用した車載装置１は、携帯端末の現在位置を示す携帯位置情報を取得する通信部１６と、取得した携帯位置情報に基づいて目的地を設定し当該目的地までの経路を探索する制御部１７と、を備え、制御部１７は、携帯端末の位置情報の変化に応じて目的地の設定を更新し、通信部１６は、目的地の更新ごとに携帯端末に対して目的地設定情報を送信する。【選択図】図２
2020169996.tif 000002
【特許請求の範囲】
【請求項１】
他端末の現在位置を示す位置情報を取得する位置情報取得部と、
前記位置情報に基づいて目標地を設定し、当該目標地までの経路を探索する探索部と、を有し、
前記探索部は、前記他端末が設定済みの前記目標地から所定距離以上離間したと判定したとき、その時点における前記他端末の前記位置情報に基づき、前記目標地を更新することを特徴とする探索装置。
【発明の詳細な説明】
【技術分野】
【０００１】
本発明は、情報端末を携帯する待ち合わせ対象者との待ち合わせを支援するための探索装置、探索装置の制御方法およびプログラムに関する。
【背景技術】
【０００２】
従来、この種の技術として、特許文献１が提案されている。特許文献１では、待ち合わせ対象者が携帯する情報端末の位置情報を取得して、待ち合わせに適した公共交通機関の乗降施設を検索し、その検索結果を表示すると共に待ち合わせ対象者の情報端末に送信する技術が開示されている。これにより、車両を利用する人（以下、「車両搭乗者」と称する）と、公共交通機関を利用する人との待ち合わせをスムーズに行うことができるといった効果を奏する。
【先行技術文献】
【特許文献】
【０００３】
【特許文献１】特開２００７−７２９７１号公報
【発明の概要】
【発明が解決しようとする課題】
【０００４】
ところで、車両搭乗者と待ち合わせ対象者が待ち合わせをする場合、待ち合わせ対象者が徒歩などで移動する状況が考えられる。例えば、図６（ａ）に示すように、車両が地点Ａから、待ち合わせ対象者の現在位置である地点Ｂに向けて出発した後、待ち合わせ対象者が地点Ａに向けて移動する状況が考えられる。この場合、待ち合わせ対象者は地点Ｂで待つよりも車両搭乗者と早く合流できるといった利点がある。また、図６（ｂ）に示すように、車両が地点Ａから、目的地となる地点Ｃに向けて出発すると共に、待ち合わせ対象者も地点Ｂから地点Ｃに向けて移動する状況が考えられる。この状況では、渋滞などなく車両が滞りなく走行可能な場合、待ち合わせ対象者を車両に搭乗させて一緒に地点Ｃに向かうことができ、渋滞などで車両がスムーズに走行できなかった場合は、地点Ｃで合流することができるなど、無駄のない待ち合わせが実現できる。
【０００５】
このように、待ち合わせにおいて、待ち合わせ対象者が移動する状況は様々想定できるが、特許文献１を含む従来の技術では、待ち合わせ対象者が移動した場合に対応できるものはなかった。つまり、待ち合わせ対象者が移動した場合は、再度待ち合わせのための設定操作をやり直すしかなく、その場合も車両および自身の移動距離を考慮して適切と思われる待ち合わせ場所を手動設定するか、現在位置を示す位置情報を送信した後、その場で待つしかなかった。
【０００６】
本発明は、上記の問題点に鑑み、待ち合わせ対象者が移動した場合でも、スムーズに待ち合わせを行うことが可能な探索装置、探索装置の制御方法およびプログラムを提供することを目的とする。
【課題を解決するための手段】
【０００７】
本発明の探索装置は、他端末の現在位置を示す位置情報を取得する位置情報取得部と、位置情報に基づいて目標地を設定し、当該目標地までの経路を探索する探索部と、を有し、探索部は、他端末が設定済みの目標地から所定距離以上離間したと判定したとき、その時点における他端末の位置情報に基づき、目標地を更新することを特徴とする。
なお、「目標地」とは、経由地または目的地を指す。
【０００８】
上記の探索装置において、他端末に対し、目標地を通知する目標地通知部を有し、目標地通知部は、探索部による目標地の更新ごとに、更新後の目標地を通知することを特徴とする。
【０００９】
上記の探索装置において、探索部は、位置情報に基づき、他端末の現在位置周辺の道路状況を考慮して、目標地を設定することを特徴とする。
【００１０】
上記の探索装置において、探索部は、位置情報から、他端末が駐停車禁止区間または通行禁止区間に存在すると判定した場合、それらの区間外であって他端末の現在位置から最も近い場所を、目標地として設定することを特徴とする。
【００１１】
上記の探索装置において、探索部は、位置情報から、他端末が、渋滞区間または単車線区間に存在すると判定した場合、それらの区間外であって他端末の現在位置から最も近い場所を、目標地として設定することを特徴とする。
【００１２】
上記の探索装置において、探索部は、位置情報から、他端末が、予め設定された所定領域外に存在すると判定した場合、他端末の現在位置から最も近い所定領域内の場所を、目標地として設定することを特徴とする。
【００１３】
本発明の探索装置の制御方法は、他端末の現在位置を示す位置情報を取得する位置情報取得ステップと、位置情報に基づいて目標地を設定し、当該目標地までの経路を探索する探索ステップと、を実行し、探索ステップでは、他端末が設定済みの目標地から所定距離以上離間したと判定したとき、その時点における他端末の位置情報に基づき、目標地を更新することを特徴とする。
【００１４】
本発明のプログラムは、コンピューターに、上記の探索装置の制御方法における各ステップを実行させることを特徴とする。
【図面の簡単な説明】
【００１５】
【図１】本発明の一実施形態に係る通信システムの簡易構成図である。
【図２】車載装置のブロック図である。
【図３】携帯端末のブロック図である。
【図４】通信システムによる経路誘導処理の流れを示すフローチャートである。
【図５】携帯端末の画面遷移図である。
【図６】背景技術の説明図である。
【発明を実施するための形態】
【００１６】
以下、本発明の一実施形態に係る探索装置、探索装置の制御方法およびプログラムについて説明する。本実施形態では、探索装置として、インターネット通信機能およびカーナビゲーション機能を有する車載装置を例示する。また、徒歩で移動する待ち合わせ対象者の現在位置を特定する情報端末として、携帯端末（例えば、スマートフォン）を例示する。
【００１７】
図１は、本発明の探索装置を用いた通信システムＳＹの簡易構成図である。同図に示すように、通信システムＳＹは、自動車などの車両に搭載されて用いられる車載装置１と、車両搭乗者と待ち合わせを行う待ち合わせ対象者が携帯する携帯端末２（他端末）と、車載装置１と携帯端末２との間で通信を行うためのネットワーク３と、を備えている。
【００１８】
車載装置１は、車両出荷後に後付する所謂カーナビゲーション装置であっても良いし、車両制御システムに組み込まれたものであっても良い。また、車両搭乗者が携帯する携帯端末（スマートフォン、携帯電話など）、車両に積載された情報処理端末（ノート型パソコン、ＰＤＡなど）を、車載装置１として用いても良い。一方、携帯端末２は、本実施形態ではスマートフォンを想定しているが、他の情報処理端末（携帯電話、ノート型パソコン、ＰＤＡなど）を用いても良い。
【００１９】
また、本実施形態においてネットワーク３は、インターネット網（クラウド）を想定している。車載装置１および携帯端末２は、不図示の無線中継器を介してインターネット網に接続される。なお、車載装置１および携帯端末２間の通信は、必ずしもネットワーク３を介して行われる必要はなく、長距離無線通信など他の通信技術を用いても良い。
【００２０】
次に、図２および図３を参照し、車載装置１および携帯端末２のハードウェア構成について説明する。図２は、車載装置１のブロック図である。車載装置１は、ＧＰＳ（Global  Positioning  System）受信機１１、アンテナ１２、自立航法センサ１３、ディスプレイ１４、スピーカー１５、通信部１６、制御部１７および地図データベース（以下、「地図ＤＢ」と記載する）１８を備えている。なお、ディスプレイ１４およびスピーカー１５は、車載装置１と必ずしも一体である必要はなく、車載装置１とは独立した構成としても良い。
【００２１】
ＧＰＳ受信機１１は、アンテナ１２を介してＧＰＳ情報（現在位置を示す位置情報および現在時刻を示す時刻情報を含む）を受信する。自立航法センサ１３は、角度センサおよび距離センサから成り（いずれも、図示省略）、ＧＰＳ受信機１１との組み合わせにより、車両位置を特定するために用いられる。ディスプレイ１４は、経路探索結果を表示すると共に、必要に応じて各種確認画面（ユーザーに対して確認を促すための画面）を表示する。スピーカー１５は、音声による経路案内情報を出力すると共に、各種音声確認（ユーザに対して確認を促すための音声案内）を行う。
【００２２】
通信部１６は、ネットワーク３を介して携帯端末２と通信を行う。本実施形態では、携帯端末２の現在位置を示す携帯位置情報（位置情報）を受信したり、車載装置１で設定した目的地（待ち合わせ場所，目標地）を示す目的地設定情報を送信したりするために用いられる（位置情報取得部，目標地通知部）。制御部１７は、ＣＰＵ（Central  Processing  Unit）１７ａ、ＲＯＭ（Read  Only  Memory）１７ｂおよびＲＡＭ（Random  Access  Memory）１７ｃから成る。ＣＰＵ１７ａは、中央処理装置であり、各種演算処理を行う。本実施形態では、主に目的地の設定および経路探索を行う（探索部）。ＲＯＭ１７ｂは、ＣＰＵ１７ａが各種演算処理を行うための制御プログラムおよび制御データを記憶する。また、ＲＡＭ１７ｃは、ＣＰＵ１７ａが各種演算処理を行う際のワークエリアとして用いられる。
【００２３】
地図ＤＢ１８は、経路探索を行うための地図データを記憶する。なお、地図ＤＢ１８をネットワーク３上のサーバーに設け、車載装置１が当該サーバーにアクセスして地図データを読み出す構成としても良い。また、ＲＯＭ１７ｂの制御プログラムを、当該サーバーで実行させても良い。つまり、クラウドコンピューティング技術を用いて車載装置１を動作させても良い。
【００２４】
図３は、携帯端末２のブロック図である。携帯端末２は、ＧＰＳ受信機２１、アンテナ２２、タッチパネル２３、通話部２４、通信部２６、制御部２７および地図ＤＢ２８を備えている。
【００２５】
ＧＰＳ受信機２１は、アンテナ２２を介してＧＰＳ情報（位置情報および時刻情報を含む）を受信する。タッチパネル２３は、各種情報の表示および各種操作に用いられる。本実施形態では、主に車両搭乗者との待ち合わせを行う場合の待ち合わせ開始操作や、経路誘導情報の表示（図５参照）に用いられる。通話部２４は、電話機能を実現する。
【００２６】
通信部２６は、ネットワーク３を介して車載装置１と通信を行う。本実施形態では、車載装置１で設定された目的地設定情報を受信したり、ＧＰＳ受信機２１で計測した自端末の現在位置を示す携帯位置情報を送信したりするために用いられる。制御部２７は、ＣＰＵ２７ａ、ＲＯＭ２７ｂおよびＲＡＭ２７ｃから成る。ＲＯＭ２７ｂには、車載装置１と連携して動作するための待ち合わせ支援アプリケーションがインストールされている。また、当該待ち合わせ支援アプリケーションの一機能として、待ち合わせを行う車両（車載装置１）を特定する装置識別情報が予め設定されている（ＲＯＭ２７ｂに記憶されている）。
【００２７】
地図ＤＢ２８は、経路探索を行うための地図データを記憶する。なお、地図ＤＢ２８についても、地図１８ＤＢと同様、ネットワーク３上のサーバーに設けても良い。また、地図ＤＢ２８を待ち合わせ支援アプリケーションの一部として記憶しても良い。さらに、当該待ち合わせ支援アプリケーションを、ネットワーク３上のサーバーで実行させても良い。
【００２８】
次に、図４のフローチャートを参照し、通信システムＳＹによる経路誘導処理の流れについて説明する。ここでは、携帯端末２において待ち合わせ支援アプリケーションが起動されており、当該待ち合わせ支援アプリケーションを用いた待ち合わせ開始操作をトリガーとして処理を開始するものとする。
【００２９】
携帯端末２のユーザー（待ち合わせ対象者）により待ち合わせ開始操作が行われると（例えば、タッチパネル２３に表示された待ち合わせ開始ボタンが選択されると，Ｓ０１）、車載装置１に対し、自端末の現在位置を示す携帯位置情報を送信する（Ｓ０２）。
【００３０】
なお、携帯端末２にて、予め複数の装置識別情報が設定されている場合、その中から待ち合わせを行う車載装置１の装置識別情報を選択して待ち合わせ開始操作を行う構成としても良い。この場合、選択された装置識別情報を宛先として携帯位置情報を送信する。また、設定されている複数の装置識別情報に対応して複数の待ち合わせ開始ボタンをタッチパネル２３に表示し、その中からどのボタンが選択されたかによって、携帯位置情報の送信先を決定しても良い。
【００３１】
車載装置１は、携帯端末２から携帯位置情報を取得すると（Ｓ０３）、当該携帯位置情報に基づいて、待ち合わせ場所となる目的地を設定し、経路探索を行う（Ｓ０４）。ここでは、取得した携帯位置情報に基づき、携帯端末２の現在位置を目的地として設定する。そして、経路探索完了に伴って、自装置の経路誘導を開始し、設定した目的地を示す目的地設定情報および自装置の位置を示す車両位置情報（ＧＰＳ受信機１１の計測結果）を、携帯位置情報の送信元となる携帯端末２に送信する（Ｓ０５）。なお、目的地設定情報および車両位置情報は、マップコードであっても良いし、住所であっても良い。
【００３２】
携帯端末２は、車載装置１から目的地設定情報および車両位置情報が送信されると、経路誘導を開始し、タッチパネル２３に表示された地図上に、目的地設定情報に基づく目的地と、車両位置情報に基づく車載装置１の位置（以下、「車両位置」と称する）を表示する（Ｓ０６）。また、経路誘導開始後は、定期的に携帯位置情報を車載装置１に送信する（Ｓ０７）。
【００３３】
一方、車載装置１は、経路誘導開始後に携帯端末２から携帯位置情報を取得すると（Ｓ０８）、当該携帯位置情報に基づいて携帯端末２が移動したか否かを判定する（Ｓ０９）。ここでは、携帯端末２が設定済みの目的地から所定距離（例えば、数十メートル〜数百メートル）以上離間したとき、携帯端末２が移動したと判定する。携帯端末２が移動していないと判定した場合は（Ｓ０９：Ｎｏ）、Ｓ０８に戻る。
【００３４】
また、携帯端末２が移動したと判定した場合は（Ｓ０９：Ｙｅｓ）、携帯端末２の現在位置が駐停車不可能な場所であるか否かを判定する（Ｓ１０）。ここでは、携帯端末２が、駐停車禁止区間または通行禁止区間に存在する場合、駐停車不可能な場所であると判定する。携帯端末２の現在位置が駐停車不可能な場所でないと判定した場合は（Ｓ１０：Ｎｏ）、携帯端末２が移動した後の現在位置を、新たな目的地として設定し（更新し）、その目的地をディスプレイ１４の地図上に表示する（Ｓ１１）。また、携帯端末２の現在位置が駐停車不可能な場所であると判定した場合は（Ｓ１０：Ｙｅｓ）、携帯端末２が移動した後の現在位置に最も近い駐停車可能区間内の場所を、新たな目的地として設定・表示する（Ｓ１２）。
【００３５】
その後、車載装置１は、更新後の目的地設定情報と、この時点における車両位置情報を携帯端末２に送信する（Ｓ１３）。携帯端末２は、これらを受信し、更新後の目的地と車両位置をタッチパネル２３の地図上に表示する（Ｓ１４）。一方、車載装置１では、Ｓ１３の後、待ち合わせが完了したか否かを判定する（Ｓ１５）。ここでは、車載装置１の現在位置と携帯端末２の現在位置が所定距離以内となったとき（ほぼ一致したとき）、待ち合わせが完了したと判定する。待ち合わせが完了していないと判定した場合は（Ｓ１５：Ｎｏ）、Ｓ０８に戻る。また、待ち合わせが完了したと判定した場合は（Ｓ１５：Ｙｅｓ）、車載装置１の経路誘導を終了すると共に、その旨を携帯端末２に通知する（Ｓ１６）。携帯端末２では、当該通知の受信により、経路誘導を終了する（Ｓ１７）。なお、経路誘導を終了する際は、その旨をディスプレイ１４に表示することが好ましい。また、経路誘導の終了に伴って、待ち合わせ支援アプリケーションを自動終了させても良い。
【００３６】
次に、図５を参照し、携帯端末２のタッチパネル２３に表示される画面について説明する。同図（ａ）は、待ち合わせ支援アプリケーション起動直後の画面表示例を示している。待ち合わせ支援アプリケーション起動直後の状態では、一般的な地図アプリケーションと同様、地図上に携帯端末２の現在位置（符号５１）を表示する。このとき、符号５１の三角マークは、ユーザーの向きを示している。また、特に図示しないが、地図の縮尺を変更したり表示方向を変更したりなどの操作も可能である。
【００３７】
同図（ｂ）は、ユーザーにより待ち合わせ開始操作が行われた後の状態を示している。同図の例では、携帯端末２の現在位置（符号５１）を、目的地（符号５２）として設定している。また、待ち合わせ開始操作が行われた後は、駐停車不可能な場所を斜線で表示する（符号５５）。また、受信した車両位置情報に基づき、車載装置１の現在位置が表示範囲内にある場合、車載装置１の現在位置と（符号５６）進行方向（符号５７）を表示する。さらに、車載装置１の現在位置（符号５６）を先頭に、車両の経路（走行軌跡，符号５８）を表示する。これらの表示により、待ち合わせ対象者は、道路のどちら側で待てばよいかを判断することができる。
【００３８】
同図（ｃ）は、ユーザーの移動により目的地が変更されたときの状態を示している。同図の例では、ユーザーが符号５５の位置まで移動したことにより、目的地が符号６２に変更された場合を示している。上記のとおり、携帯端末２の現在位置（符号５５）と目的地（符号６２）が一致しないのは、携帯端末２が駐停車不可能な場所に存在するためである。したがって、駐停車可能な区間内であって携帯端末２の現在位置（符号５５）から最も近い場所が、目的地として設定されている。また、目的地が変更されたているため、その旨のメッセージ（符号６５）を表示する。当該メッセージは一時的に表示されるものであり、数秒後に非表示となる。
【００３９】
なお、車載装置１側の表示については特に図示しないが、図５に示した携帯端末２の表示と略同様に、車載装置１側の現在位置、携帯端末２の現在位置、設定された目的地、駐停車不可能な場所、目的地を変更した旨のメッセージを表示する。
【００４０】
以上説明したとおり、本実施形態によれば、車両搭乗者と、携帯端末２を所持する待ち合わせ対象者が待ち合わせをする場合において、携帯端末２の現在位置の変化に応じて随時目的地を更新するため、待ち合わせ対象者が移動した場合でも、スムーズに待ち合わせを行うことができる。また、目的地は、駐停車可能な場所であるか否かを考慮して設定されるため、安全な場所で待ち合わせることができる。また、車載装置１で目的地を更新した場合は、その都度携帯端末２に目的地を通知するため、待ち合わせ対象者も安心して車両を待つことができる。
【００４１】
なお、以下の各種変形例を採用可能である。上記の実施形態では、携帯位置情報に基づいて目的地（経路誘導の最終目的地）を設定する場合を例示したが、目的地ではなく経由地（目標地）を設定しても良い。
【００４２】
また、上記の実施形態では、携帯端末２による待ち合わせ開始操作をトリガーとして経路誘導を開始したが（図４のＳ０１参照）、車載装置１側で待ち合わせ開始操作を行っても良い。この場合、車載装置１は、待ち合わせ開始操作に伴って、待ち合わせ対象者の携帯端末２に車両位置情報を送信する。また、携帯端末２は、車両位置情報の受信に伴って待ち合わせ支援アプリケーションを起動し、携帯位置情報を車載装置１に送信する。
【００４３】
また、上記の実施形態では、携帯端末２が移動したか否かを、車載装置１によって判定したが、携帯端末２側で判定しても良い。この場合、携帯端末２は、定期的に携帯位置情報を送信するのではなく、現在設定されている目的地から所定距離以上移動した場合のみ携帯位置情報を送信すれば良い。
【００４４】
また、上記の実施形態では、車載装置１の現在位置と携帯端末２の現在位置が所定距離以内となったとき（ほぼ一致したとき）、待ち合わせが完了したと判定したが（図４のＳ１５参照）、車載装置１と携帯端末２が、ブルートゥース（登録商標）通信などの近距離無線通信や赤外線通信により通信可能な場合は、これらの通信によって待ち合わせ完了を判定しても良い。つまり、これらの通信手段により、車載装置１と携帯端末２が近接位置にあることを検出したとき、待ち合わせが完了したと判定すれば良い。
【００４５】
また、上記の実施形態では、経路誘導開始時の目的地設定の際に、携帯端末２が駐停車不可能な場所に存在するか否かの判定を行っていないが（図４のＳ０４参照）、図４のＳ１０〜Ｓ１２に示したように、経路誘導開始時の目的地設定の際にも、駐停車可能区間内で目的地設定を行う構成としても良い。
【００４６】
また、上記の実施形態では、設定済みの目的地から所定距離以上移動したとき目的地設定情報を送信したが（図４のＳ０９〜Ｓ１３参照）、目的地が変更する場合のみ、車載装置１から携帯端末２に目的地設定情報を送信しても良い。つまり、携帯端末２が所定距離以上移動した場合であっても、携帯端末２の現在位置が駐停車可能区間外であるために目的地が変更されない場合、目的地設定情報を送信しない構成としても良い。
【００４７】
また、上記の実施形態では、携帯端末２が駐停車禁止区間または通行禁止区間に存在すると判定した場合、それらの区間外であって携帯端末２の現在位置から最も近い場所を目的地として設定したが、さらに携帯端末２が渋滞区間または単車線区間に存在するか否かを判定しても良い。この場合、渋滞区間または単車線区間の区間外であって携帯端末２の現在位置から最も近い場所を目的地として設定すれば良い。なお、「渋滞区間」とは、現在渋滞している区間であっても良いし、その時間帯に渋滞が予想される区間であっても良い。
【００４８】
また、駐停車禁止区間、通行禁止区間、渋滞区間、単車線区間などの禁止区間を避けて目的地を設定するのではなく、それらに該当する区間の優先度を下げて目的地を設定しても良い。つまり、各区間に禁止順位を設定しておき（例えば、通行禁止区間＞駐停車禁止区間＞渋滞区間＞単車線区間）、携帯端末２の現在位置から所定距離内に上記の各区間を除く駐停車可能区間が存在しない場合は、所定距離内にある単車線区間内に目的地を設定しても良い。
【００４９】
また、禁止区間を避けて目的地を設定するのではなく、許可領域を設定しておく構成でも良い。つまり、携帯端末２が予め設定された所定領域（許可領域）外に存在すると判定した場合、携帯端末２の現在位置から最も近い所定領域内の場所を目的地として設定しても良い。
【００５０】
また、目的地は、携帯端末２の現在位置からの距離だけに基づいて設定するのではなく（但し、禁止区間外または許可領域内）、車両の進行方向を考慮して設定しても良い。つまり、図６（ａ）に示すように、車両の進行方向と逆方向に待ち合わせ対象者が移動している場合、携帯端末２の現在位置より車両に近づく方向にある禁止区間外または許可領域内に目的地を設定する構成としても良い。さらに、一方通行道路か否かを考慮して目的地を設定しても良い。一方通行道路の場合、図６（ａ）に示すように、車両の進行方向と逆方向に待ち合わせ対象者が移動している場合でも、車両がＵターンして待ち合わせ対象者に近づかなくてはならない場合があるため、そのような場合は、携帯端末２の現在位置よりもＵターンしてくる車両に近づく方向（つまり、待ち合わせ対象者の移動方向と逆方向）にある禁止区間外または許可領域内に目的地を設定しても良い。
【００５１】
また、上記の実施形態では、携帯端末２が設定済みの目的地から所定距離以上離間したとき、携帯端末２が移動したと判定したが（図４のＳ０９参照）、携帯端末２に搭載されたジャイロセンサー等で携帯端末２の動きを検出し、車載装置１がその検出結果を受信することで、携帯端末２の移動を判定しても良い。
【００５２】
また、上記の実施形態では、車載装置１および携帯端末２において、目的地が変更された旨のメッセージを画面上に表示したが、これに代えて音声案内を行っても良い。また、経路誘導開始時および経路誘導終了時においても、その旨を音声案内しても良い。
【００５３】
また、目的地が変更された旨のメッセージに加え、携帯端末２に入力した任意のメッセージ（例えば、「コンビニに立ち寄ります」）を車載装置１側で表示または音声案内しても良い。また、携帯端末２へのメッセージ入力および車載装置１へのメッセージ送信は、目的地の変更（待ち合わせ対象者の移動）に関係なく、任意のタイミングで行い得る構成としても良い。
【００５４】
また、車両（車載装置１）が目的地に接近した際には、車載装置１から携帯端末２にその旨の信号を送信しても良い。携帯端末２は、当該信号の受信に伴って、メッセージ表示、音声案内またはバイブレーションなどで、車両が近づいた旨をユーザーに報知する。
【００５５】
また、上記の実施形態では、車載装置１から携帯端末２に対し、目的地の更新ごとに車両位置情報を送信したが、目的地の更新とは関係なく、車両位置情報を定期的に送信しても良い。
【００５６】
また、上記の実施形態では、車載装置１側で、目的地の設定・更新を行ったが、携帯端末２側で行っても良い。つまり、図４に示したフローチャートの左側の処理を車載装置１が行い、右側の処理を携帯端末２が行っても良い。
【００５７】
また、上記の実施形態では、歩行者が携帯端末２を携帯したが、車載装置１を搭載した車両とは異なる車両、または車両以外の移動体に搭乗する人物が、携帯端末２を携帯する場合にも本発明を適用可能である。
【００５８】
また、上記の実施形態に示した車載装置１や携帯端末２における各構成要素をプログラムとして提供することが可能である。また、そのプログラムを各種記録媒体（図示省略）に格納して提供することも可能である。すなわち、コンピューターを、車載装置１や携帯端末２の各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００５９】
１：車載装置  ２：携帯端末  ３：ネットワーク  １１：ＧＰＳ受信機  １２：アンテナ  １３：自立航法センサ  １４：ディスプレイ  １５：スピーカー  １６：通信部  １７：制御部  １８：地図ＤＢ  ２１：ＧＰＳ受信機  ２２：アンテナ  ２３：タッチパネル  ２４：通話部  ２６：通信部  ２７：制御部  ２８：地図ＤＢ  ＳＹ：通信システム
【図１】
2020169996.tif 000003
【図２】
2020169996.tif 000004
【図３】
2020169996.tif 000005
【図４】
2020169996.tif 000006
【図５】
2020169996.tif 000007
【図６】
2020169996.tif 000008